(57)【特許請求の範囲】
【請求項１】
連設された前面板と底面板と後面板が断面三角形状をなし、前記後面板の上端から内側に垂れ下がる収納物保持板が設けられ、前記収納物保持板は、収納物を差し込む開孔部が複数横方向に並んで設けられた収納板と、前記収納板の下端に連設され後面板側に折り返された、前記収納物を下から支える棚板とからなり、前記前面板には前記収納物保持板に保持された前記収納物が見えるように窓部が設けられていることを特徴とする紙箱。
【請求項２】
折り返された前記棚板の上端から後面板側に次の収納物保持板が設けられ、前記棚板が次の前記収納物保持板に重なった状態で固定する固定機構が設けられていることを特徴とする請求項１に記載の紙箱。
【請求項３】
前記固定機構が、上側の前記収納板の下端に突き出すように設けられた保持板差込片と次の前記収納物保持板の収納板に設けられた保持板差込切れ目とからなり、前記保持板差込切れ目に前記保持板差込片を差し込んで固定するようになっていて、前記保持板差込片の幅が前記保持板差込切れ目の幅より広く、前記保持板差込片の根元部分の幅が前記保持板差込切れ目の幅より狭くなっていることを特徴とする請求項２に記載の紙箱。
【請求項４】
前記後面板に沿うように前記前面板の上端から折返し板が設けられ、前記折返し板と前記後面板とを係止する係止機構が設けられていることを特徴とする請求項１から３のいずれか１項に記載の紙箱。
【請求項５】
前記係止機構が前記折返し板に設けられた後面板差込片と、前記後面板に設けられた後面板差込切れ目からなり、前記後面板差込切れ目に前記後面板差込片を差し込んで係止することを特徴とする請求項４に記載の紙箱。
【請求項６】
前記後面板差込切れ目の左右から下方に向かって易切断線が設けられていることを特徴とする請求項５に記載の紙箱。
【請求項７】
前記収納物保持板の上端には吊下孔の設けられた吊下片が上に突き出していて、前記前面板と前記折返し板の境界線上には差込孔が設けられ、前記吊下片が差し込めるようになっていることを特徴とする請求項４から６のいずれか１項に記載の紙箱。
【請求項８】
前記後面板の左右にはそれぞれ側面板が連接され、左右の前記側面板には、前記前面板の内側に差し込む前面差込片が設けられていることを特徴とする請求項１から７のいずれか１項に記載の紙箱。
【請求項９】
左右の前記側面板と前記底面板に接続する折込フラップが設けられていることを特徴とする請求項８に記載の紙箱。
【発明の詳細な説明】
【技術分野】
【０００１】
本発明は、紙箱に関するものである。
【背景技術】
【０００２】
従来から、菓子食品類や医薬品や化粧品、玩具類、日用品などを収容して、収納された商品を保護し輸送するために、紙箱が広く用いられている。これらの紙箱の中には、店舗でのディスプレイ効果を高めるために、収納された商品が外から見えるようにした紙箱がある。
【０００３】
例えば、上側から順に裏面部、吊り下げ部、覗き窓付の正面部、底面蓋部、差込部が設けられていて、正面部の左右両側縁に垂蓋部付の側面部がそれぞれ設けられているとともに、各側面部に糊代部が設けられている一枚のシートを組み立てて形成される包装用紙箱であって、裏面部が垂直面になるとともに底面蓋部が水平面になる状態で、側面部が下部側から上部側にかけて徐々に幅狭になった略直角三角形に形成され、底面蓋部と差込部の境界部分に設けられた切込線が垂蓋部に設けられた突部に係合し、紙箱の上端部に吊り下げ用の穴部が穿設されている包装用紙箱がある（特許文献１）。
【０００４】
この包装用紙箱は、正面部に覗き窓が設けられているので、収納された商品を外から見ることができ、ディスプレイ効果がある。しかし、この包装用紙箱では、収納物が紙箱の中で動かない程度の大きさのものには向いているが、収納物が小さい場合、例えば、小袋に収納された複数の商品を収納物とする場合では、収納物を固定するために、別途固定具を用意する必要がある。
【０００５】
公知文献を以下に示す。
【先行技術文献】
【特許文献】
【０００６】
【特許文献１】実公平７−６０８６号公報
【発明の概要】
【発明が解決しようとする課題】
【０００７】
本発明は上記のような事情に鑑みてなされたもので、１枚のシートから組み立てられ、複数の収納物を仕切って収納でき、且つ、収納物が外から見えるようにした紙箱を提供することを課題としている。
【課題を解決するための手段】
【０００８】
本発明は係る課題に鑑みなされたものであり、請求項１の発明は、連設された前面板と底面板と後面板が断面三角形状をなし、前記後面板の上端から内側に垂れ下がる収納物保持板が設けられ、前記収納物保持板は、収納物を差し込む開孔部が複数横方向に並んで設けられた収納板と、前記収納板の下端に連設され後面板側に折り返された、前記収納物を下から支える棚板とからなり、前記前面板には前記収納物保持板に保持された前記収納物が見えるように窓部が設けられていることを特徴とする紙箱である。
【０００９】
本発明の紙箱は、以上のような構成であって、１枚のシートから組み立てることができ、複数横方向に並んで設けられた開孔部に差し込むことにより、複数の収納物を仕切って収納でき、また、窓部が設けられているので収納物を外から見ることができる。
【００１０】
本発明の請求項２の発明は、折り返された前記棚板の上端から後面板側に次の収納物保持板が設けられ、前記棚板が次の前記収納物保持板に重なった状態で固定する固定機構が設けられていることを特徴とする請求項１に記載の紙箱である。
【００１１】
本発明は、収納物保持板を複数連結させて設けることができ、収納物の収納できる数を増やすことができる。
【００１２】
本発明の請求項３の発明は、前記固定機構が、上側の前記収納板の下端に突き出すように設けられた保持板差込片と次の前記収納物保持板の収納板に設けられた保持板差込切れ目とからなり、前記保持板差込切れ目に前記保持板差込片を差し込んで固定するようになっていて、前記保持板差込片の幅が前記保持板差込切れ目の幅より広く、前記保持板差込片の根元部分の幅が前記保持板差込切れ目の幅より狭くなっていることを特徴とする請求項２に記載の紙箱である。
【００１３】
本発明は、固定機構が保持板差込片と保持板差込切れ目とからなっていて、一旦差し込んだ保持板差込片が抜けにくい構造になっていて、使用中に外れて収納物が動いてしまうことがない。
【００１４】
本発明の請求項４の発明は、前記後面板に沿うように前記前面板の上端から折返し板が設けられ、前記折返し板と前記後面板とを係止する係止機構が設けられていることを特徴とする請求項１から３のいずれか１項に記載の紙箱である。
【００１５】
本発明は、後面板に沿うように前面板の上端から折返し板が設けられていて、折返し板と後面板とを係止できるので、前面板が誤って開いてしまうことがない。
【００１６】
本発明の請求項５の発明は、前記係止機構が前記折返し板に設けられた後面板差込片と、前記後面板に設けられた後面板差込切れ目からなり、前記後面板差込切れ目に前記後面板差込片を差し込んで係止することを特徴とする請求項４に記載の紙箱である。
【００１７】
本発明は、係止機構が折返し板に設けられた後面板差込片と、後面板に設けられた後面板差込切れ目からなっているので、別の部材を用意する必要がなく、また、簡単に係止することができる。
【００１８】
本発明の請求項６の発明は、前記後面板差込切れ目の左右から下方に向かって易切断線が設けられていることを特徴とする請求項５に記載の紙箱である。
【００１９】
本発明は、後面板差込切れ目の左右から下方に向かって易切断線が設けられているので、初めて前面板を開けるときに、易切断線が切断され、開封されたことが判り、不正開封防止の効果が期待できる。
【００２０】
本発明の請求項７の発明は、前記収納物保持板の上端には吊下孔の設けられた吊下片が上に突き出していて、前記前面板と前記折返し板の境界線上には差込孔が設けられ、前記吊下片が差し込めるようになっていることを特徴とする請求項４から６のいずれか１項に記載の紙箱である。
【００２１】
本発明は、収納物保持板の上端には吊下孔の設けられた吊下片が上に突き出しているので、吊下げて展示したりすることができる。また、吊下片を差込孔に差し込むようになっているので、誤って前面板を開けてしまう恐れが少なくなる。
【００２２】
本発明の請求項８の発明は、前記後面板の左右にはそれぞれ側面板が連接され、左右の
前記側面板には、前記前面板の内側に差し込む前面差込片が設けられていることを特徴とする請求項１から７のいずれか１項に記載の紙箱である。
【００２３】
本発明は、後面板の左右にはそれぞれ側面板が連接され、左右の側面板には、前面板の内側に差し込む前面差込片が設けられているので、収納物が外に落ちることを防ぐと共に外部より埃などが入るのを防ぐことができる。
【００２４】
本発明の請求項９の発明は、左右の前記側面板と前記底面板に接続する折込フラップが設けられていることを特徴とする請求項８に記載の紙箱である。
【００２５】
本発明は、右の側面板と底面板に接続する折込フラップが設けられているので、側面板と底面板の間に隙間ができなくて、収納物が外に落ちることを防ぐと共に外部より埃などが入るのを防ぐことができる。
【発明の効果】
【００２６】
本発明の紙箱は、１枚のシートから組み立てられ、複数の収納物を仕切って収納することができ、且つ、収納物が外から見ることができる。
【図面の簡単な説明】
【００２７】
【図１】本発明の紙箱の一例を模式的に正面で示した説明図である。
【図２】本発明の紙箱の一例を模式的に背面側から斜視で示した説明図である。
【図３】（ａ）本発明の紙箱の一例で、前面板などが開かれた状態を模式的に正面で示した説明図である。（ｂ）（ａ）のＡ−Ａ断面図である。
【図４】本発明の紙箱の一例のブランクを模式的に示した説明図である。
【図５】本発明の紙箱の一例の組み立て方を説明する模式図である。
【図６】本発明の紙箱の一例の組み立て方を説明する模式図である。
【発明を実施するための形態】
【００２８】
以下、本発明を実施するための形態について説明する。
図１は、本発明の紙箱の一例を模式的に正面で示した説明図、図２は、本発明の紙箱の一例を模式的に背面側から斜視で示した説明図、図３（ａ）は、本発明の紙箱の一例で、前面板などが開かれた状態を模式的に正面で示した説明図で、（ｂ）は、（ａ）のＡ−Ａ断面図である。
【００２９】
本例の紙箱１００は、図１から図３に示すように、前面板１と底面板２と後面板３が連設されていて、折り曲げられて、断面が三角形状をなしている。また、後面板３の上端に連設され、内側に垂れ下がる収納物保持板４が設けられている。
【００３０】
収納物保持板４は、収納物を差し込む開孔部４ａが複数横方向に並んで設けられた収納板４ｂと、収納板４ｂの下端に連設され後面板側に折り返された、収納物を下から支える棚板４ｃとからなっている。
【００３１】
折り返された棚板４ｃの上端から後面板側に次の収納物保持板４１が設けられ、前記棚板４ｃが次の収納物保持板４１に重なった状態で固定する固定機構が設けられている。固定機構は、上の収納物保持板の下端に突き出すように設けられた保持板差込片５と次の収納物保持板４１に設けられた保持板差込切れ目６とからなり、保持板差込片５の幅が保持板差込切れ目６の幅より広く、保持板差込片５の根元部分の幅が保持板差込切れ目６の幅より狭くなっている．このため、一度差し込むと、簡単には抜けたりせず、しっかりと固定するようになっている。
【００３２】
また、前面板１には収納物保持板４に保持された収納物が見えるように窓部７が設けられている。窓部には、裏側に透明プラスチックフィルムが設けられていて収納物が窓部より落ちないように、且つ、外から見えるようにしている。透明プラスチックフィルムは、本例では、１枚のフィルムで前面板１の全部の窓部を覆うように貼られて設けられている。
【００３３】
また、前面板１の上端には折返し板８が連設されていて、後面板３の外面に沿うように折り返されている。そして、折返し板８の先端部分に後面板差込片９が設けられていて、後面板３に設けられた後面板差込切れ目１０に差し込んで係止する係止機構が設けられている。
【００３４】
後面板差込切れ目の左右から下方に向かって易切断線１１、１１が設けられている。易切断線１１はミシン目や破線状の切れ目などからなっている。このため、前面板１を開けるために、後面板差込片９を後面板差込切れ目１０から抜くと、易切断線１１が切断され、開封されたことが判り、不正開封防止の効果が期待できる。
【００３５】
収納物保持板４の上端には吊下孔１２の設けられた吊下片１３が上に突き出していて、前面板１と折返し板８の境界線上に設けられた差込孔１４に差し込めるようになっている。このようになっているので、前面板１を前に倒して、紙箱１００を開けるときに、後面板３に設けられた後面板差込切れ目１０から、後面板差込片９を外して、更に、差込孔１４から吊下片１３を抜いて開ける。また、開封した後、閉めるときには、吊下片１３を差込孔１４に差し込むだけで、後面板差込切れ目１０に後面板差込片９を差し込まなくても、前面板１を閉めた状態で保持することができる。また、吊下片１３に吊下孔１２が設けられているので、吊下げて置いておくことができる。
【００３６】
また、後面板の左右にはそれぞれ側面板１５、１５が連接され、左右の前記側面板１５、１５には、前面板１の内側に差し込む前面差込片１６、１６が設けられている。そして、左右の側面板１５、１５と底面板２に接続する折込フラップ１７、１７がそれぞれ設けられている。このようになっているので、収納物が側部から落ちてしまうことがない。
【００３７】
図４は、本発明の紙箱の一例のブランクを模式的に示した説明図、図５および図６は、本発明の紙箱の一例の組み立て方を説明する模式図である。
【００３８】
本例の紙箱１００は、まず板紙などを、折罫を押圧して設けると同時に切れ目などを設けて、打ち抜いて、図４のような、本例の紙箱１００用のブランク１０１を作成する。次に、このブランク１０１を折罫に沿って折り曲げ、係止や固定して組み立てることによって本例の紙箱１００が製造される。
【００３９】
紙箱１００のブランク１０１は、図の下方に下から、前面板１、底面板２、後面板３が折罫などを介して連設されている。後面板３の上端には、収納物保持板４と別の収納物保持板４１が連設されている。収納物保持板４と別の収納物保持板４１はそれぞれ、収納板４ｂと棚板４Ｃからなっている。尚、収納板４ｂには開孔部４ａがそれぞれ横方向に２つ並んで設けられている。
【００４０】
前面板１の下端には、折返し板８と後面板差込片９が連設されている。また、後面板３の左右にはそれぞれ、側面板１５、１５が設けられ、側面板１５、１５の外側には、前面差込片１６、１６が設けられている。また、前面差込片１６、１６と底面板２に接続する折込フラップ１７、１７が設けられている。
【００４１】
前面板１には、窓部７、７、７、７が縦横２個ずつ計４個設けられている。この窓部７
は裏面より透明プラスチックフィルムが貼られている。前面板１と折返し板８の境界線上には貫通孔による横に細長い差込孔１４が設けられている。
【００４２】
後面板３の中央には後面板差込切れ目１０が設けられている。また、後面板差込切れ目１０の左右両端から底面板２方向に易切断線１１、１１が設けられている。また、後面板３には、切れ目により形成された吊下片１３が、収納物保持板４の収納板４ｂに接続して設けられている。吊下片１３には、フックなどに吊下げるための吊下孔１２が設けられている。
【００４３】
収納物保持板４の棚板４ｃには切れ目により形成された保持板差込片５が設けられ、保持板差込片５は収納板４ｂに接続している。一方、収納物保持板４１の収納板４ｂには、切れ目に夜保持板差込切れ目６が設けられている。
【００４４】
このブランク１０１から紙箱１００を組み立てるには、まず、図５のように、収納物保持板４を後面板３の内面に重なるように折る。そして、収納物保持板４の棚板４ｃを収納板４ｂより背面側に折り返す。そして、次の収納物保持板４１の収納板４ｂを背面側に折り返して下方に向け、また、棚板４ｃを収納板４ｂより背面側に折り返す。
【００４５】
このようにしたら、保持板差込切れ目６に保持板差込片５を差し込み、収納物保持板４の収納板４ｂの下端と、収納物保持板４１の収納板４ｂの上端を固定する。これにより、図３（ａ）、（ｂ）のように組み立てられる。
【００４６】
次に、側面板１５、１５を後面板３に対して直角になるように立て、また、前面差込片１６、１６をそれぞれ、側面板１５、１５に対して直角になるよう内側に折る。そして、折込フラップ１７を斜めの折罫を押し込むように折りながら、底面板２を後面板３との間で折り、続いて、図６のように、前面板１を底面板２との間で折る。
【００４７】
そして、後面板３と収納物保持板４の収納板４ｂの上端には、吊下片１３が上に飛び出しているので、前面板１と折返し板８の境界線上に設けた差込孔８を吊下片１３に掛け、折返し板８を後面板３の外側に沿わせる。そして後面板差込片９を後面板差込切れ目１０に差し込んで係止する。
【００４８】
このようにして、紙箱１００は図１、図２のように組み立てられる。収納物を紙箱１００に収納させるのは、保持板差込切れ目６に保持板差込片５を差し込んで、収納物保持板４と、収納物保持板４１を固定した後、前面板１を底面板２との間で折る前に行う。
【００４９】
収納物は、収納板４ｂに設けた開孔部４ａより差し込んで、上部が収納板４ｂの外側になっていて、収納物の下端が、棚板４ｃと収納板４ｂとに間の折部に当たるように収納させる。
【００５０】
このため、収納物が、カードや小袋などの薄くて方形などの場合、開孔部４ａの形状は、ひっくり返したかまぼこ型であることが好ましい。すなわち下端部が円弧状で、その両端から上方に向かう縦の直線状で、上端部分は横の直線状になっていることが好ましい。縦の直線状と横の直線状との角にはＲを付けていても付けていなくともかまわない。
【００５１】
このように、開孔部４ａの形状がひっくり返したかまぼこ型であると、薄くて方形などの収納物は、差し込む時に左右が縦の直線状なので、上下の位置の限定が広く取れる。また、下端が円弧状であるので、収納物の左右が固定された部分より下まで収納物が露出されて見やすく、また上端が横の直線状になっているので、収納物が横の直線状部分で前側に押されて固定される。
【００５２】
以上のように、本発明の紙箱は、１枚のシートから組み立てられ、複数の収納物を仕切って収納することができ、且つ、収納物が外から見ることができる。
【符号の説明】
【００５３】
１００・・・紙箱
１０１・・・ブランク
１・・・前面板
２・・・底面板
３・・・後面板
４、４１・・・収納物保持板
４ａ・・・開孔部
４ｂ・・・収納板
４ｃ・・・棚板
５・・・保持板差込片
６・・・保持板差込切れ目
７・・・窓部
８・・・折返し板
９・・・後面板差込片
１０・・・後面板差込切れ目
１１・・・易切断線
１２・・・吊下孔
１３・・・吊下片
１４・・・差込孔
１５・・・側面板
１６・・・前面差込片
１７・・・折込フラップ
【図１】
0006565519.tif 000002
【図２】
0006565519.tif 000003
【図３】
0006565519.tif 000004
【図４】
0006565519.tif 000005
【図５】
0006565519.tif 000006
【図６】
0006565519.tif 000007